【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
第１の情報処理装置に接続され、前記第１の情報処理装置から書き込み要求又は／及び読み出し要求を受信してデータの書き込み又は／及び読み出しを制御する第１のコントローラと、
前記第１の情報処理装置又は／及び第２の情報処理装置に接続され、前記第１の情報処理装置又は／及び前記第２の情報処理装置から書き込み要求又は／及び読み出し要求を受信してデータの書き込み又は／及び読み出しを制御する第２のコントローラと、
前記第１のコントローラ及び前記第２のコントローラに接続され、前記第１のコントローラ又は／及び前記第２のコントローラにおける書き込み又は読み出し制御に基づいて送受信されるＦｉｂｅｒ  Ｃｈａｎｎｅｌ（ＦＣ）信号とシリアル  ＡＴ  Ａｔｔａｃｈｍｅｎｔ（ＳＡＴＡ）信号との間の信号変換を行う変換器と、前記変換器によって変換されたシリアルＡＴＡ信号によって送受信されるデータを記憶するシリアルＡＴＡディスクドライブと、を有するシリアルＡＴＡディスクドライブユニットと、
複数の前記シリアルＡＴＡディスクドライブユニットと、前記複数のシリアルＡＴＡディスクドライブユニットへの電力の供給を行う第１の電源モジュールと、前記第１のコントローラと前記複数のシリアルＡＴＡディスクドライブユニットとの間のＦＣ信号の通信に利用される第１の通信媒体へ接続される第１のコネクタと、前記第２のコントローラと前記複数のシリアルＡＴＡディスクドライブユニットとの間のＦＣ信号の通信に利用される第２の通信媒体へ接続される第２のコネクタと、を有する第１の筐体と、
を有することを特徴とするディスクアレイ装置。
【請求項２】
前記請求項１に記載のディスクアレイ装置において、
前記第１の筐体は、前記第１のコネクタと接続され、複数の第１のポートバイパスサーキットを有する第１の回路基板を有しており、
前記複数のシリアルＡＴＡディスクドライブユニットは、前記第１の筐体内において前記第１の回路基板に接続されるものであることを特徴とするディスクアレイ装置。
【請求項３】
前記請求項１又は２に記載のディスクアレイ装置において、
前記第１の筐体は、前記第２のコネクタと接続され、複数の第２のポートバイパスサーキットを有する第２の回路基板を有しており、
前記複数のシリアルＡＴＡディスクドライブユニットは、前記第１の筐体内において前記第２の回路基板に接続されるものであることを特徴とするディスクアレイ装置。
【請求項４】
前記請求項１乃至３のいずれかに記載のディスクアレイ装置において、
前記複数のシリアルＡＴＡディスクドライブユニットは、少なくとも１つのＲｅｄｕｎｄａｎｔ  Ａｒｒａｙ  ｏｆ  Ｉｎｅｘｐｅｎｓｉｖｅ  Ｄｉｓｋｓ（ＲＡＩＤ）グループを形成しており、
前記ＲＡＩＤグループは、前記第１の情報処理装置又は／及び前記第２の情報処理装置からの書き込み要求又は読み出し要求の宛先となる複数の論理ボリューム識別子に対応付けられるものであることを特徴とするディスクアレイ装置。
【請求項５】
前記請求項１乃至３のいずれかに記載のディスクアレイ装置において、
ＦＣディスクドライブを有するＦＣディスクドライブユニットと、
複数の前記ＦＣディスクドライブユニットと、前記複数のＦＣディスクドライブユニットへの電力の供給を行う第２の電源モジュールと、を有する第２の筐体と、を有しており、
前記複数のシリアルＡＴＡディスクドライブは、少なくとも１つの第１のＲｅｄｕｎｄａｎｔ  Ａｒｒａｙ  ｏｆ  Ｉｎｅｘｐｅｎｓｉｖｅ  Ｄｉｓｋｓ（ＲＡＩＤ）グループを形成しており、
前記複数のＦＣディスクドライブは、少なくとも１つの第２のＲＡＩＤグループを形成しているものであることを特徴とするディスクアレイ装置。
【請求項６】
前記請求項５のいずれかに記載のディスクアレイ装置において、
前記第１のコントローラは、前記第１のＲＡＩＤグループ内のシリアルＡＴＡディスクドライブと、前記第２のＲＡＩＤグループ内のＦＣディスクドライブと、のいずれのディスクドライブへのデータの書き込み又は／及び読み出しも可能であることを特徴とするディスクアレイ装置。
【請求項７】
前記請求項１乃至６のいずれかに記載のディスクアレイ装置において、
前記第１のコントローラにおける書き込み又は／及び読み出し制御に基づいて送受信されるＦＣ信号は、第１のＦｉｂｅｒ  Ｃｈａｎｎｅｌ−Ａｒｂｉｔｒａｔｅｄ  Ｌｏｏｐ（ＦＣ−ＡＬ）を介して送信されるものであり、
前記第２のコントローラにおける書き込み又は／及び読み出し制御に基づいて送受信されるＦＣ信号は、第２のＦｉｂｅｒ  Ｃｈａｎｎｅｌ−Ａｒｂｉｔｒａｔｅｄ  Ｌｏｏｐ（ＦＣ−ＡＬ）を介して送信されるものであり、
前記複数のシリアルＡＴＡディスクドライブユニットは、前記第１のＦＣ−ＡＬに接続される第１のポートと、前記第２のＦＣ−ＡＬに接続される第２のポートと、を有するものであることを特徴とするディスクアレイ装置。
【請求項８】
前記請求項１乃至７のいずれかに記載のディスクアレイ装置において、
前記第１のコントローラ又は／及び前記第２のコントローラは、前記第２のＲＡＩＤグループ内のＦＣディスクドライブに格納されるデータには行わないデータの信頼性のチェックを、前記第１のＲＡＩＤグループ内のシリアルＡＴＡディスクドライブ内に格納されるデータへ行うものであることを特徴とするディスクアレイ装置。
【請求項９】
前記請求項１乃至８のいずれかに記載のディスクアレイ装置において、
前記第１のコントローラ又は／及び前記第２のコントローラは、前記第１のＲＡＩＤグループ内のシリアルＡＴＡディスクドライブへのデータの書き込み又は読み出しの際に、前記第２のＲＡＩＤグループ内のＦＣディスクドライブへのデータの書き込み又は読み出し制御と異なる制御を行うものであることを特徴とするディスクアレイ装置。
【請求項１０】
第１の情報処理装置から書き込み要求を受信してデータの書き込みを制御する第１のコントローラと、
前記第１の情報処理装置又は／及び第２の情報処理装置から書き込み要求を受信してデータの書き込みを制御する第２のコントローラと、
前記第１のコントローラに接続される第１のポートと、前記第２のコントローラに接続される第２のポートと、前記第１のコントローラから前記第１のポートを介して受信されるＦｉｂｅｒ  Ｃｈａｎｎｅｌ（ＦＣ）信号及び前記第２のコントローラから前記第２のポートを介して受信されるＦＣ信号の両方をシリアル  ＡＴ  Ａｔｔａｃｈｍｅｎｔ（ＳＡＴＡ）信号へ変換を行う変換器と、前記変換器によって変換されたシリアルＡＴＡ信号によって受信されるデータを記憶するシリアルＡＴＡディスクドライブと、を有する第１のディスクドライブユニットと、
複数の前記第１のディスクドライブユニットと、前記第１のコントローラと前記複数の第１のディスクドライブユニットとの間のＦＣ信号の通信に利用される第１のコネクタと、前記第２のコントローラと前記複数の第１のディスクドライブユニットとの間のＦＣ信号の通信に利用される第２のコネクタと、を有する第１の筐体と、
を有することを特徴とするディスクアレイ装置。
【請求項１１】
第１の情報処理装置から書き込み要求を受信してデータの書き込みを制御する第１のコントローラと、
前記第１の情報処理装置又は／及び第２の情報処理装置から書き込み要求を受信してデータの書き込みを制御する第２のコントローラと、
前記第１のコントローラに接続される第１のポートと、前記第２のコントローラに接続される第２のポートと、前記第１のコントローラから前記第１のポートを介して受信されるＦｉｂｅｒ  Ｃｈａｎｎｅｌ（ＦＣ）信号をシリアル  ＡＴ  Ａｔｔａｃｈｍｅｎｔ（ＳＡＴＡ）信号へ変換し、かつ前記第２のコントローラから前記第２のポートを介して受信されるＦＣ信号をＳＡＴＡ信号へ変換する変換器と、前記変換器によって変換されたシリアルＡＴＡ信号によって受信されるデータを記憶するシリアルＡＴＡディスクドライブと、を有する第１のディスクドライブユニットと、
複数の前記第１のディスクドライブユニットと、前記第１のコントローラから送信されるＦＣ信号を受信する第１のコネクタと、前記第２のコントローラから送信されるＦＣ信号を受信する第２のコネクタと、
を有することを特徴とするディスクアレイ装置。
【請求項１２】
前記請求項１０又は１１に記載のディスクアレイ装置において、
前記第１の筐体は、前記複数の第１のディスクドライブユニットへの電力の供給を行う第１の電源モジュールを有することを特徴とするディスクアレイ装置。
【請求項１３】
前記請求項１０乃至１２のいずれかに記載のディスクアレイ装置において、
前記第１の筐体は、前記第１のコネクタと接続され、複数の第１のポートバイパスサーキットを有する第１の回路基板を有しており、
前記複数の第１のディスクドライブユニットは、各々の前記第１のポートを介して前記第１の回路基板に接続されるものであることを特徴とするディスクアレイ装置。
【請求項１４】
前記請求項１０乃至１３のいずれかに記載のディスクアレイ装置において、
前記第１の筐体は、前記第２のコネクタと接続され、複数の第２のポートバイパスサーキットを有する第２の回路基板を有しており、
前記複数の第１のディスクドライブユニットは、各々の前記第２のポートを介して前記第２の回路基板に接続されるものであることを特徴とするディスクアレイ装置。
【請求項１５】
前記請求項１０乃至１４のいずれかに記載のディスクアレイ装置において、
前記複数の第１のディスクドライブユニットは、少なくとも１つのＲｅｄｕｎｄａｎｔ  Ａｒｒａｙ  ｏｆ  Ｉｎｅｘｐｅｎｓｉｖｅ  Ｄｉｓｋｓ（ＲＡＩＤ）グループを形成しており、
前記ＲＡＩＤグループは、前記第１の情報処理装置又は／及び前記第２の情報処理装置からの書き込み要求の宛先となる複数の論理ボリューム識別子に対応付けられるものであることを特徴とするディスクアレイ装置。
【請求項１６】
前記請求項１０乃至１４のいずれかに記載のディスクアレイ装置において、
ＦＣディスクドライブを有する第２のディスクドライブユニットと、
複数の前記第２のディスクドライブユニットを有する第２の筐体と、を有しており、
前記複数のシリアルＡＴＡディスクドライブは、少なくとも１つの第１のＲｅｄｕｎｄａｎｔ  Ａｒｒａｙ  ｏｆ  Ｉｎｅｘｐｅｎｓｉｖｅ  Ｄｉｓｋｓ（ＲＡＩＤ）グループを形成しており、
前記複数のＦＣディスクドライブは、少なくとも１つの第２のＲＡＩＤグループを形成しているものであることを特徴とするディスクアレイ装置。
【請求項１７】
前記請求項１６に記載のディスクアレイ装置において、
前記第１のコントローラは、前記第１のＲＡＩＤグループ内のシリアルＡＴＡディスクドライブと、前記第２のＲＡＩＤグループ内のＦＣディスクドライブと、のいずれのディスクドライブへのデータの書き込みも可能であることを特徴とするディスクアレイ装置。
【請求項１８】
前記請求項１０乃至１７のいずれかに記載のディスクアレイ装置において、
前記第１のコントローラから前記第１のポートを介して受信されるＦＣ信号は、第１のＦｉｂｅｒ  Ｃｈａｎｎｅｌ−Ａｒｂｉｔｒａｔｅｄ  Ｌｏｏｐ（ＦＣ−ＡＬ）を介して送信されるものであり、
前記第２のコントローラから前記第２のポートを介して受信されるＦＣ信号は、第２のＦｉｂｅｒ  Ｃｈａｎｎｅｌ−Ａｒｂｉｔｒａｔｅｄ  Ｌｏｏｐ（ＦＣ−ＡＬ）を介して送信されるものであることを特徴とするディスクアレイ装置。
【手続補正２】
【補正対象書類名】明細書
【補正対象項目名】発明の名称
【補正方法】変更
【補正の内容】
【発明の名称】ディスクアレイ装置
【手続補正３】
【補正対象書類名】明細書
【補正対象項目名】０００１
【補正方法】変更
【補正の内容】
【０００１】
本発明は、ディスクアレイ装置に関する。
【手続補正４】
【補正対象書類名】明細書
【補正対象項目名】０００６
【補正方法】変更
【補正の内容】
【０００６】
本発明は上記課題を鑑みてなされたものであり、ディスクアレイ装置を提供することを目的とする。
【手続補正５】
【補正対象書類名】明細書
【補正対象項目名】０００７
【補正方法】変更
【補正の内容】
【０００７】
上記目的を達成する本発明のうち主たる発明に係るディスクアレイ装置は、第１の情報処理装置に接続され、前記第１の情報処理装置から書き込み要求又は／及び読み出し要求を受信してデータの書き込み又は／及び読み出しを制御する第１のコントローラと、前記第１の情報処理装置又は／及び第２の情報処理装置に接続され、前記第１の情報処理装置又は／及び前記第２の情報処理装置から書き込み要求又は／及び読み出し要求を受信してデータの書き込み又は／及び読み出しを制御する第２のコントローラと、前記第１のコントローラ及び前記第２のコントローラに接続され、前記第１のコントローラ又は／及び前記第２のコントローラにおける書き込み又は読み出し制御に基づいて送受信されるＦｉｂｅｒ  Ｃｈａｎｎｅｌ（ＦＣ）信号とシリアル  ＡＴ  Ａｔｔａｃｈｍｅｎｔ（ＳＡＴＡ）信号との間の信号変換を行う変換器と、前記変換器によって変換されたシリアルＡＴＡ信号によって送受信されるデータを記憶するシリアルＡＴＡディスクドライブと、を有するシリアルＡＴＡディスクドライブユニットと、複数の前記シリアルＡＴＡディスクドライブユニットと、前記複数のシリアルＡＴＡディスクドライブユニットへの電力の供給を行う第１の電源モジュールと、前記第１のコントローラと前記複数のシリアルＡＴＡディスクドライブユニットとの間のＦＣ信号の通信に利用される第１の通信媒体へ接続される第１のコネクタと、前記第２のコントローラと前記複数のシリアルＡＴＡディスクドライブユニットとの間のＦＣ信号の通信に利用される第２の通信媒体へ接続される第２のコネクタと、を有する第１の筐体と、を有することとする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１２
【補正方法】変更
【補正の内容】
【００１２】
ディスクアレイ装置を提供することができる。